(57)【要約】【課題】ユーザが指定した評価を多く得ている施設の情報を好適に提示する。【解決手段】ナビゲーション装置１００は、施設検索を行う場合に、走行予定経路上の複数の到着予想地点周辺の施設に対し、ユーザが指定した評価情報取得条件Ｔｅを満たす該当評価情報をサーバ装置２００から受信する。そして、ナビゲーション装置１００は、該当施設の評価情報平均数Ｎｖを算出し、評価情報平均数Ｎｖよりも該当評価情報の件数が多い施設情報を走行予定経路と共に地図上に表示する。【選択図】図３
2017049220.tif 000002
【特許請求の範囲】
【請求項１】
出発点及び目的地を取得し、前記出発点から前記目的地までの経路を探索して表示する表示装置であって、
前記経路周辺の施設情報を検索する検索部と、
評価情報取得条件を取得する条件取得部と、
前記評価情報取得条件に基づいて、前記施設情報に関する評価情報を取得する評価情報取得部と、
前記施設情報のうち前記評価情報取得部による取得結果に基づいて定められる条件を満たす施設情報を表示部に表示させる制御部と、
を備えることを特徴とする表示装置。
【請求項２】
前記制御部は、前記評価情報取得条件を満たす評価情報の数が所定の閾値より大きい前記施設情報を前記表示部に表示させ、かつ、前記所定の閾値を、前記評価情報取得部が取得した評価情報の数に基づき定めることを特徴とする請求項１に記載の表示装置。
【請求項３】
前記施設情報ごとに取得された評価情報の平均数を算出する算出部を更に備え、
前記制御部は、前記平均数よりも多い前記評価情報が取得された施設情報を、前記表示部に表示させることを特徴とする請求項２に記載の表示装置。
【請求項４】
前記経路上における通過前の到達地点を推定する推定部を更に備え、
前記検索部は、前記到達地点周辺の施設情報を検索することを特徴とする請求項１〜３のいずれか一項に記載の表示装置。
【請求項５】
前記経路の交通情報を取得する交通情報取得部を更に備え、
前記推定部は、前記交通情報に基づいて、ユーザが指定した時間帯に含まれる複数の時刻の各々における前記経路上の到達地点を推定することを特徴とする請求項４に記載の表示装置。
【請求項６】
前記制御部は、前記経路、及び、前記評価情報取得部による取得結果に基づいて定められる条件を満たす施設情報を、前記表示部に表示させることを特徴とする請求項１〜５のいずれか一項に記載の表示装置。
【請求項７】
出発点と目的地、及び評価情報取得条件を外部端末から受信する受信部と、
前記出発点から前記目的地までの経路を探索する探索部と、
前記経路周辺の施設情報を検索し、前記評価情報取得条件に基づいて、前記施設情報に関する評価情報を検索する検索部と、
前記施設情報のうち前記評価情報の検索結果に基づいて定められる条件を満たす施設情報を前記外部端末に送信する送信部と、
を備えることを特徴とする検索装置。
【請求項８】
出発点と目的地、及び評価情報取得条件を検索装置に送信する送信部と、
前記出発点から前記目的地までの経路を探索し、前記経路周辺の施設情報を検索し、前記評価情報取得条件に基づいて、前記施設情報に関する評価情報を検索し、前記施設情報のうち前記評価情報の検索結果に基づいて定められる条件を満たす施設情報を外部端末に送信する検索装置から、前記施設情報を受信する受信部と、
前記受信部により受信された施設情報を表示する表示部と、
を備えることを特徴とする端末装置。
【請求項９】
出発点及び目的地を取得し、前記出発点から前記目的地までの経路を探索し表示する表示装置が実行する表示方法であって、
前記経路周辺の施設情報を検索する検索工程と、
評価情報取得条件を取得する条件取得工程と、
前記評価情報取得条件に基づいて、前記施設情報に関する評価情報を取得する評価情報取得工程と、
前記施設情報のうち前記評価情報取得工程による取得結果に基づいて定められる条件を満たす施設情報を表示部に表示させる制御工程と、
を有することを特徴とする表示方法。
【請求項１０】
出発点及び目的地を取得し、前記出発点から前記目的地までの経路を探索し表示する表示装置を制御するコンピュータが実行するプログラムであって、
前記経路周辺の施設情報を検索する検索部と、
評価情報取得条件を取得する条件取得部と、
前記評価情報取得条件に基づいて、前記施設情報に関する評価情報を取得する評価情報取得部と、
前記施設情報のうち前記評価情報取得部による取得結果に基づいて定められる条件を満たす施設情報を表示部に表示させる制御部
として前記コンピュータを機能させることを特徴とするプログラム。
【請求項１１】
請求項１０に記載のプログラムが記録されていることを特徴とする記録媒体。
【発明の詳細な説明】
【技術分野】
【０００１】
本発明は、目的地までの経路付近に存在する施設の情報を提供する手法に関する。
【背景技術】
【０００２】
ナビゲーション装置において、複数のユーザによる施設の評価に基づき施設を検索する技術が知られている。例えば、特許文献１には、ユーザ操作に応じて任意のランドマークに対して評価値であるユーザレートを設定すると共に、ユーザ操作に応じ、ユーザレートが設定されたランドマークの中からユーザ所望のレートのランドマークを抽出し、この抽出したランドマークのみを配置した地図画面を表示する表示システムが開示されている。
【先行技術文献】
【特許文献】
【０００３】
【特許文献１】特開２００８−２８１４８７号公報
【発明の概要】
【発明が解決しようとする課題】
【０００４】
特許文献１では、ある施設に対する口コミ数が例え１件のみであってもその１件の評価が高ければ当該施設が表示されやすくなる。しかし、このように口コミ件数が少ない場合には、評価の信ぴょう性が薄いため、必ずしもユーザの希望に沿った施設が表示されるとは限らない。
【０００５】
本発明の解決しようとする課題としては、上記のものが一例として挙げられる。本発明は、ユーザが指定した評価を多く得ている施設の情報を好適に提示することを目的とする。
【課題を解決するための手段】
【０００６】
請求項１に記載の発明は、出発点及び目的地を取得し、前記出発点から前記目的地までの経路を探索して表示する表示装置であって、前記経路周辺の施設情報を検索する検索部と、評価情報取得条件を取得する条件取得部と、前記評価情報取得条件に基づいて、前記施設情報に関する評価情報を取得する評価情報取得部と、前記施設情報のうち前記評価情報取得部による取得結果に基づいて定められる条件を満たす施設情報を表示部に表示させる制御部と、を備えることを特徴とする。
【０００７】
また、請求項７に記載の発明は、検索装置であって、出発点と目的地、及び評価情報取得条件を外部端末から受信する受信部と、前記出発点から前記目的地までの経路を探索する探索部と、前記経路周辺の施設情報を検索し、前記評価情報取得条件に基づいて、前記施設情報に関する評価情報を検索する検索部と、前記施設情報のうち前記評価情報の検索結果に基づいて定められる条件を満たす施設情報を前記外部端末に送信する送信部と、を備えることを特徴とする。
【０００８】
また、請求項８に記載の発明は、端末装置であって、出発点と目的地、及び評価情報取得条件を検索装置に送信する送信部と、前記出発点から前記目的地までの経路を探索し、前記経路周辺の施設情報を検索し、前記評価情報取得条件に基づいて、前記施設情報に関する評価情報を検索し、前記施設情報のうち前記評価情報の検索結果に基づいて定められる条件を満たす施設情報を外部端末に送信する検索装置から、前記施設情報を受信する受信部と、前記受信部により受信された施設情報を表示する表示部と、を備えることを特徴とする。
【０００９】
また、請求項９に記載の発明は、出発点及び目的地を取得し、前記出発点から前記目的地までの経路を探索し表示する表示装置が実行する表示方法であって、前記経路周辺の施設情報を検索する検索工程と、評価情報取得条件を取得する条件取得工程と、前記評価情報取得条件に基づいて、前記施設情報に関する評価情報を取得する評価情報取得工程と、前記施設情報のうち前記評価情報取得工程による取得結果に基づいて定められる条件を満たす施設情報を表示部に表示させる制御工程と、を有することを特徴とする。
【００１０】
また、請求項１０に記載の発明は、出発点及び目的地を取得し、前記出発点から前記目的地までの経路を探索し表示する表示装置を制御するコンピュータが実行するプログラムであって、前記経路周辺の施設情報を検索する検索部と、評価情報取得条件を取得する条件取得部と、前記評価情報取得条件に基づいて、前記施設情報に関する評価情報を取得する評価情報取得部と、前記施設情報のうち前記評価情報取得部による取得結果に基づいて定められる条件を満たす施設情報を表示部に表示させる制御部として前記コンピュータを機能させることを特徴とする。
【００１１】
また、請求項１１に記載の発明は、記録媒体であって、請求項１０に記載のプログラムが記録されていることを特徴とする。
【図面の簡単な説明】
【００１２】
【図１】施設情報提供システムの概略構成を示す。
【図２】ナビゲーション装置の概略構成を示す。
【図３】ナビゲーション装置の機能ブロック図を示す。
【図４】施設評価情報ＤＢのデータ構造を示す。
【図５】施設検索処理の手順を示すフローチャートである。
【図６】施設検索処理の具体例を示す図である。
【図７】施設検索結果の表示例である。
【図８】年代に基づき該当評価情報の重み付けを行った場合の各施設のポイント数を示す表である。
【図９】変形例に係る施設検索処理のフローチャートである。
【図１０】サーバ装置の機能ブロック図を示す。
【発明を実施するための形態】
【００１３】
本発明の好適な実施形態では、出発点及び目的地を取得し、前記出発点から前記目的地までの経路を探索して表示する表示装置であって、前記経路周辺の施設情報を検索する検索部と、評価情報取得条件を取得する条件取得部と、前記評価情報取得条件に基づいて、前記施設情報に関する評価情報を取得する評価情報取得部と、前記施設情報のうち前記評価情報取得部による取得結果に基づいて定められる条件を満たす施設情報を表示部に表示させる制御部と、を備える。
【００１４】
上記表示装置は、検索部と、条件取得部と、評価情報取得部と、制御部とを備える。検索部は、経路周辺の施設情報を検索する。評価情報取得部は、条件取得部が取得した評価情報取得条件に基づいて、施設情報に関する評価情報を取得する。制御部は、検索部が検索した施設情報のうち評価情報取得部による取得結果に基づいて定められる条件を満たす施設情報を表示部に表示させる。このようにすることで、表示装置は、検索した施設情報のうち、より評価情報取得条件に沿った評価情報を有する施設情報をユーザに提示することができる。
【００１５】
上記表示装置の一態様では、前記制御部は、前記評価情報取得条件を満たす評価情報の数が所定の閾値より大きい前記施設情報を前記表示部に表示させ、かつ、前記所定の閾値を、前記評価情報取得部が取得した評価情報の数に基づき定める。この態様により、表示装置は、取得された評価情報の数が多い施設情報を優先的にユーザに提示することができる。
【００１６】
上記表示装置の他の一態様では、表示装置は、前記施設情報ごとに取得された評価情報の平均数を算出する算出部を更に備え、前記制御部は、前記平均数よりも多い前記評価情報が取得された施設情報を、前記表示部に表示させる。この態様により、表示装置は、取得された評価情報の数が平均よりも多い施設情報をユーザに提示することができる。
【００１７】
上記表示装置の他の一態様では、表示装置は、前記経路上における通過前の到達地点を推定する推定部を更に備え、前記検索部は、前記到達地点周辺の施設情報を検索する。この態様により、表示装置は、既に通過した地点周辺の施設情報を検索するのを好適に抑制し、処理の低減を図ると共に、ユーザに不要な施設情報を提示するのを抑制することができる。
【００１８】
上記表示装置の他の一態様では、表示装置は、前記経路の交通情報を取得する交通情報取得部を更に備え、前記推定部は、前記交通情報に基づいて、ユーザが指定した時間帯に含まれる複数の時刻の各々における前記経路上の到達地点を推定する。この態様により、表示装置は、設定した各時刻に対応する到着予想地点を的確に推定し、施設情報の検索範囲を定めることができる。
【００１９】
上記表示装置の他の一態様では、前記制御部は、前記経路、及び、前記評価情報取得部による取得結果に基づいて定められる条件を満たす施設情報を、前記表示部に表示させる。この態様により、表示装置は、目的地までの経路と共に、条件に合致する施設情報を好適にユーザに認識させることができる。
【００２０】
本発明の他の好適な実施形態では、検索装置は、出発点と目的地、及び評価情報取得条件を外部端末から受信する受信部と、前記出発点から前記目的地までの経路を探索する探索部と、前記経路周辺の施設情報を検索し、前記評価情報取得条件に基づいて、前記施設情報に関する評価情報を検索する検索部と、前記施設情報のうち前記評価情報の検索結果に基づいて定められる条件を満たす施設情報を前記外部端末に送信する送信部と、を備える。検索装置は、この態様により、外部端末から出発点と目的地、及び評価情報取得条件を受信した場合に、より評価情報取得条件に沿った評価情報を有する施設情報を外部端末に送信することができる。
【００２１】
本発明の他の好適な実施形態では、端末装置は、出発点と目的地、及び評価情報取得条件を検索装置に送信する送信部と、前記出発点から前記目的地までの経路を探索し、前記経路周辺の施設情報を検索し、前記評価情報取得条件に基づいて、前記施設情報に関する評価情報を検索し、前記施設情報のうち前記評価情報の検索結果に基づいて定められる条件を満たす施設情報を外部端末に送信する検索装置から、前記施設情報を受信する受信部と、前記受信部により受信された施設情報を表示する表示部と、を備える。この態様により、端末装置は、出発点と目的地、及び評価情報取得条件を検索装置に送信することで、出発点から目的地までの経路周辺の施設であって、より評価情報取得条件に沿った評価情報を有する施設の情報を、好適にユーザに提示することができる。
【００２２】
本発明の他の好適な実施形態では、出発点及び目的地を取得し、前記出発点から前記目的地までの経路を探索し表示する表示装置が実行する表示方法であって、前記経路周辺の施設情報を検索する検索工程と、評価情報取得条件を取得する条件取得工程と、前記評価情報取得条件に基づいて、前記施設情報に関する評価情報を取得する評価情報取得工程と、前記施設情報のうち前記評価情報取得工程による取得結果に基づいて定められる条件を満たす施設情報を表示部に表示させる制御工程と、を有する。表示装置は、この制御方法を実行することで、検索した施設情報のうち、より評価情報取得条件に沿った評価情報を有する施設情報をユーザに提示することができる。
【００２３】
本発明の他の好適な実施形態では、出発点及び目的地を取得し、前記出発点から前記目的地までの経路を探索し表示する表示装置を制御するコンピュータが実行するプログラムであって、前記経路周辺の施設情報を検索する検索部と、評価情報取得条件を取得する条件取得部と、前記評価情報取得条件に基づいて、前記施設情報に関する評価情報を取得する評価情報取得部と、前記施設情報のうち前記評価情報取得部による取得結果に基づいて定められる条件を満たす施設情報を表示部に表示させる制御部として前記コンピュータを機能させる。コンピュータは、このプログラムを実行することで、検索した施設情報のうち、より評価情報取得条件に沿った評価情報を有する施設情報をユーザに提示することができる。好適には、上記プログラムは、記録媒体に記録されている。
【実施例】
【００２４】
以下、図面を参照して本発明の好適な実施例について説明する。
【００２５】
［システム構成］
図１は、本発明の実施例に係る施設情報提供システムの概略構成を示す。図示のように、施設情報提供システムは、ナビゲーション装置１００と、サーバ装置２００とを備える。なお、図１の例では、便宜上１つのナビゲーション装置１００を図示しているが、実際には多数のナビゲーション装置１００が使用される。
【００２６】
ナビゲーション装置１００は、車両の運転者の経路案内を行う装置であって、ユーザ入力により指定された条件を満たす施設を検索して表示する。ナビゲーション装置１００は、一般的には車両に搭載されるものが多く、無線通信によりサーバ装置２００との間で情報の送受信を行う。本実施例では、ナビゲーション装置１００は、概略的には、目的地までの経路近傍の施設を検索し、ユーザが指定する評価の情報が多くサーバ装置２００に蓄積された施設を優先的に地図上に表示する。
【００２７】
サーバ装置２００は、ネットワークを介してナビゲーション装置１００と情報の授受を行う。本実施例では、サーバ装置２００は、施設の利用者が使用する端末から当該施設に関する評価（レビュー）の情報（「評価情報」とも呼ぶ。）を収集するサーバであり、収集された評価情報のデータベースである施設評価情報ＤＢ２１０を有する。
【００２８】
［ナビゲーション装置］
図２に、ナビゲーション装置１００の構成を示す。なお、ナビゲーション装置１００としては、車両に搭載されるものに限らず、人が持ち歩くポータブルタイプのもの、携帯電話やゲーム機などを利用してナビゲーション機能を実現するものなど、多種のものを利用することができる。
【００２９】
図１に示すように、ナビゲーション装置１００は、自立測位装置１０、ＧＰＳ受信機１８、システムコントローラ２０、ディスクドライブ３１、データ記憶ユニット３６、通信用インタフェース３７、通信装置３８、表示ユニット４０、音声出力ユニット５０及び入力装置６０を備える。
【００３０】
自立測位装置１０は、加速度センサ１１、角速度センサ１２及び距離センサ１３を備える。加速度センサ１１は、例えば圧電素子からなり、車両の加速度を検出し、加速度データを出力する。角速度センサ１２は、例えば振動ジャイロからなり、車両の方向変換時における車両の角速度を検出し、角速度データ及び相対方位データを出力する。距離センサ１３は、車両の車輪の回転に伴って発生されているパルス信号からなる車速パルスを計測する。
【００３１】
ＧＰＳ受信機１８は、複数のＧＰＳ衛星から、測位用データを含む下り回線データを搬送する電波１９を受信する。測位用データは、緯度及び経度情報等から車両の絶対的な位置を検出するために用いられる。
【００３２】
システムコントローラ２０は、インタフェース２１、ＣＰＵ２２、ＲＯＭ２３及びＲＡＭ２４を含んでおり、ナビゲーション装置１００全体の制御を行う。
【００３３】
インタフェース２１は、加速度センサ１１、角速度センサ１２及び距離センサ１３並びにＧＰＳ受信機１８とのインタフェース動作を行う。そして、これらから、車速パルス、加速度データ、相対方位データ、角速度データ、ＧＰＳ測位データ、絶対方位データ等をシステムコントローラ２０に入力する。ＣＰＵ２２は、システムコントローラ２０全体を制御する。ＲＯＭ２３は、システムコントローラ２０を制御する制御プログラム等が格納された図示しない不揮発性メモリ等を有する。ＲＡＭ２４は、入力装置６０を介して使用者により予め設定された経路データ等の各種データを読み出し可能に格納したり、ＣＰＵ２２に対してワーキングエリアを提供したりする。
【００３４】
システムコントローラ２０、ＣＤ−ＲＯＭドライブ又はＤＶＤ−ＲＯＭドライブなどのディスクドライブ３１、データ記憶ユニット３６、通信用インタフェース３７、表示ユニット４０、音声出力ユニット５０及び入力装置６０は、バスライン３０を介して相互に接続されている。
【００３５】
ディスクドライブ３１は、システムコントローラ２０の制御の下、ＣＤ又はＤＶＤといったディスク３３から、音楽データ、映像データなどのコンテンツデータを読み出し、出力する。なお、ディスクドライブ３１は、ＣＤ−ＲＯＭドライブ又はＤＶＤ−ＲＯＭドライブのうち、いずれか一方としてもよいし、ＣＤ及びＤＶＤコンパチブルのドライブとしてもよい。
【００３６】
データ記憶ユニット３６は、例えば、ＨＤＤなどにより構成され、地図データや施設データなどのナビゲーション処理に用いられる各種データを記憶する。施設データは、例えば、施設ごとに、位置、ジャンル、地図上に表示する施設マーク、営業時間などの各種情報が関連付けられたデータベースである。
【００３７】
通信装置３８は、例えば、ＦＭチューナやビーコンレシーバ、携帯電話や専用の通信カードなどにより構成され、通信用インタフェース３７を介して、ＶＩＣＳ（Ｖｅｈｉｃｌｅ  Ｉｎｆｏｒｍａｔｉｏｎ  Ｃｏｍｍｕｎｉｃａｔｉｏｎ  Ｓｙｓｔｅｍ、登録商標）センタから配信される渋滞や交通情報などの道路交通情報、その他の情報を受信する。
【００３８】
表示ユニット４０は、システムコントローラ２０の制御の下、各種表示データをディスプレイなどの表示装置に表示する。具体的には、システムコントローラ２０は、データ記憶ユニット３６から地図データを読み出す。表示ユニット４０は、システムコントローラ２０によってデータ記憶ユニット３６から読み出された地図データを、ディスプレイなどの表示画面上に表示する。表示ユニット４０は、バスライン３０を介してＣＰＵ２２から送られる制御データに基づいて表示ユニット４０全体の制御を行うグラフィックコントローラ４１と、ＶＲＡＭ（Ｖｉｄｅｏ  ＲＡＭ）等のメモリからなり即時表示可能な画像情報を一時的に記憶するバッファメモリ４２と、グラフィックコントローラ４１から出力される画像データに基づいて、液晶、ＣＲＴ（Ｃａｔｈｏｄｅ  Ｒａｙ  Ｔｕｂｅ）等のディスプレイ４４を表示制御する表示制御部４３と、ディスプレイ４４とを備える。ディスプレイ４４は、例えば対角５〜１０インチ程度の液晶表示装置等からなり、車内のフロントパネル付近に装着される。
【００３９】
音声出力ユニット５０は、システムコントローラ２０の制御の下、ディスクドライブ３１、若しくはＲＡＭ２４等からバスライン３０を介して送られる音声デジタルデータのＤ／Ａ変換を行うＤ／Ａコンバータ５１と、Ｄ／Ａコンバータ５１から出力される音声アナログ信号を増幅する増幅器（ＡＭＰ）５２と、増幅された音声アナログ信号を音声に変換して車内に出力するスピーカ５３とを備えて構成されている。
【００４０】
入力装置６０は、各種コマンドやデータを入力するための、キー、スイッチ、ボタン、リモコン、音声入力装置等から構成されている。入力装置６０は、車内に搭載された当該車載用電子システムの本体のフロントパネルやディスプレイ４４の周囲に配置される。また、ディスプレイ４４がタッチパネル方式である場合には、ディスプレイ４４の表示画面上に設けられたタッチパネルも入力装置６０として機能する。
【００４１】
なお、ＣＰＵ２２は、予めＲＯＭ２３などに記憶されたプログラムを実行することにより、本発明の「検索部」、「条件取得部」、「評価情報取得部」、「交通情報取得部」、「算出部」、「推定部」、「制御部」、及び本発明のプログラムを実行する「コンピュータ」として機能する。
【００４２】
［機能ブロック］
図３は、ナビゲーション装置１００の機能ブロック図を示す。図示のように、ナビゲーション装置１００のＣＰＵ２２は、機能的には、条件取得部１０１と、交通情報取得部１０２と、出発点取得部１０３と、目的地取得部１０４と、経路探索部１０５と、推定部１０６と、施設検索部１０７と、評価情報取得部１０８と、算出部１０９と、制御部１１０とを備える。
【００４３】
条件取得部１０１は、サーバ装置２００の施設評価情報ＤＢ２１０から評価情報を取得する条件（「評価情報取得条件Ｔｅ」とも呼ぶ。）を取得し、評価情報取得部１０８へ出力する。この場合、条件取得部１０１は、例えば、評価情報取得条件Ｔｅを指定するユーザの入力情報を入力装置６０から受信することで、評価情報取得条件Ｔｅを取得する。なお、条件取得部１０１は、ユーザ入力に基づき施設検索条件を取得する代わりに、外部の携帯電話又はコンピュータから施設検索条件の情報を、通信装置３８を介して取得してもよい。
【００４４】
ここで、評価情報取得条件Ｔｅは、施設を選択する際にユーザが重視する評価に関する条件であり、例えば食事施設を検索する場合には、「うまい」、「おいしい」などの味に対する条件、「清潔感がある」、「座席が広い」、「接客が良い」などの店内の様子やサービスに関する条件などが該当する。食事施設以外の施設についても同様に、施設を選択する際にユーザが重視する評価に関する条件が評価情報取得条件Ｔｅとして指定される。なお、評価情報取得条件Ｔｅは、上述した例のように所定のワードを指定した条件に限らず、後述するように、評価を数値化した評価値を指定した条件であってもよい。
【００４５】
交通情報取得部１０２は、交通情報を取得し、推定部１０６へ出力する。例えば、交通情報取得部１０２は、通信装置３８がＶＩＣＳセンタ等から受信した交通情報を取得する。
【００４６】
出発点取得部１０３は、ナビゲーション装置１００が搭載された車両の出発点を取得して経路探索部１０５へ出力する。出発点取得部１０３は、例えば、図１に示す、ナビゲーション装置１００が搭載された車両の現在位置を測位する自立測位装置１０及びＧＰＳ受信機１８などから、出発点情報を取得する。なお、出発点取得部１０３は、ＧＰＳ受信機１８などから出発点情報を取得する代わりに、ユーザが直接入力した出発点を取得してもよく、外部の携帯電話又はコンピュータなどから通信装置３８が受信した出発点を取得してもよい。この場合、出発点取得部１０３は、ナビゲーション装置１００が搭載された車両の出発点に限らず、任意の地点を出発点として取得してもよい。
【００４７】
目的地取得部１０４は、車両の目的地を取得し、経路探索部１０５へ出力する。目的地取得部１０４は、例えば、入力装置６０へのユーザの直接入力を検出して目的地を取得する。なお、目的地取得部１０４は、外部の携帯電話やコンピュータなどから通信装置３８が受信した目的地を取得してもよい。また、目的地取得部１０４は、車両の目的地に限らず、任意の地点を目的地として取得してもよい。
【００４８】
経路探索部１０５は、出発点取得部１０３から入力された出発点と、目的地取得部１０４から入力された目的地とに基づいて出発点から目的地までの経路を探索し、得られた経路を示す経路情報を、推定部１０６及び表示ユニット４０に供給する。なお、経路探索部１０５は、目的地の他、距離優先、料金優先などの種々の経路検索条件を指定する入力を入力装置６０により検知した場合には、指定された経路探索条件を満たすように、経路探索を実行する。
【００４９】
推定部１０６は、出発時刻より後の複数の時刻（「基準時刻Ｔｔａｇ」とも呼ぶ。）でのそれぞれの到着予想地点を、交通情報取得部１０２から取得した交通情報に基づいて推定する。この場合、まず、推定部１０６は、経路探索部１０５から供給される経路情報に基づき、経路探索部１０５が探索した経路であって、車両が通過前の経路（「走行予定経路」とも呼ぶ。）を認識する。次に、推定部１０６は、複数の基準時刻Ｔｔａｇを定め、定めた各基準時刻Ｔｔａｇにおける走行予定経路上での到着予想地点を、交通情報に基づいて推定する。そして、推定部１０６は、推定した到着予想地点の情報を、施設検索部１０７へ通知する。ここで、基準時刻Ｔｔａｇは、例えば、出発時刻から目的地への到着予想時刻までの時間帯又は施設を立ち寄る時間帯としてユーザが指定した時間帯から均等な時間間隔となる複数の時刻に設定される。なお、出発時刻は自立測位装置１０及びＧＰＳ受信機１８などによりナビゲーション装置１００が搭載された車両の現在位置を測位された時の時刻でもよいし、ユーザが直接入力した時刻や、外部の携帯電話又はコンピュータなどから通信装置３８が受信した時刻でもよい。
【００５０】
施設検索部１０７は、データ記憶ユニット３６が記憶する地図データを参照し、推定部１０６から通知された各基準時刻Ｔｔａｇでの到着予想地点の周辺の施設（単に「該当施設」とも呼ぶ。）を検索する。この場合、施設検索部１０７は、各到着予想地点からの直線距離又は必要走行距離が所定距離（例えば１００ｍ）以内となる範囲を対象に、施設の検索を行う。そして、施設検索部１０７は、該当施設の識別情報（「施設ＩＤ」とも呼ぶ。）などの情報を、評価情報取得部１０８へ送信する。なお、施設検索部１０７は、施設のジャンルなどの施設の検索条件がユーザ入力により指定されていた場合には、指定された条件を満たす施設を、上述の該当施設として検索する。
【００５１】
評価情報取得部１０８は、評価情報取得条件Ｔｅを満たす各該当施設の評価情報（「該当評価情報」とも呼ぶ。）を、通信装置３８を介してサーバ装置２００から取得する。この場合、評価情報取得部１０８は、条件取得部１０１が取得した評価情報取得条件Ｔｅ及び施設検索部１０７が検索した該当施設の施設ＩＤを含む評価情報の取得要求を通信装置３８によりサーバ装置２００に送信する。この場合、サーバ装置２００は、受信した評価情報の取得要求に含まれる施設ＩＤ及び評価情報取得条件Ｔｅに基づき、施設評価情報ＤＢ２１０から該当評価情報を該当施設ごとに検索し、検索結果を通信装置３８へ送信する。そして、評価情報取得部１０８は、通信装置３８が受信した検索結果を取得し、該当施設ごとの該当評価情報を、算出部１０９及び制御部１１０に供給する。
【００５２】
算出部１０９は、評価情報取得部１０８から供給された該当施設ごとの評価情報の件数を集計し、該当施設ごとの該当評価情報の件数の平均値（「評価情報平均数Ｎｖ」とも呼ぶ。）を算出する。具体的には、算出部１０９は、全ての該当施設の該当評価情報の合計数を、該当施設の数により割ることで、評価情報平均数Ｎｖを算出する。そして、算出部１０９は、算出した評価情報平均数Ｎｖを、制御部１１０へ通知する。
【００５３】
制御部１１０は、評価情報取得部１０８から通知された該当施設ごとの該当評価情報の件数と、評価情報平均数Ｎｖとを比較し、評価情報平均数Ｎｖよりも多い該当評価情報の件数となる該当施設を、表示対象として認識する。そして、制御部１１０は、表示ユニット４０を制御することで、表示対象として認識した該当施設の情報を、走行予定経路等と共に地図上に表示する。
【００５４】
［施設評価情報ＤＢの例］
図４は、施設評価情報ＤＢ２１０のデータ構造の一例である。図４に示す施設評価情報ＤＢ２１０は、施設ＩＤ、５段階評価、評価コメントの各情報を含む評価情報のデータベースである。サーバ装置２００は、例えば、口コミサイトでの施設ごとの紹介ページなどで所定のフォームに従って入力された入力情報を、各施設の利用者が使用する端末から受信することで、施設評価情報ＤＢ２１０の各レコードを生成する。図４の例では、サーバ装置２００は、５段階評価と、評価コメントとを含む入力フォームに従って入力された情報を受信することで、施設評価情報ＤＢ２１０の各レコードを生成している。
【００５５】
そして、サーバ装置２００は、ナビゲーション装置１００から評価情報取得条件Ｔｅ及び該当施設の施設ＩＤを含む評価情報の検索要求を受信した場合、指定された該当施設の施設ＩＤと一致するレコードのうち、評価情報取得条件Ｔｅを満たすレコードを、各該当施設の該当評価情報として抽出する。
【００５６】
例えば、サーバ装置２００は、評価情報取得条件Ｔｅとして５段階評価に関する条件（例えば５段階評価が３以上とする条件）が指定されていた場合には、５段階評価の項目を参照して、抽出するレコードを決定する。他の例として、サーバ装置２００は、評価情報取得条件Ｔｅとして「うまい」などのワードが指定されていた場合には、指定されたワードを含む評価コメントを有するレコードを、該当評価情報として抽出する。このとき、好適には、サーバ装置２００は、類語同士を関連付けた類語情報を記憶し、評価情報取得条件Ｔｅとして指定されたワード又は当該ワードの類語のいずれかを含む評価コメントを有するレコードを、該当評価情報として抽出するとよい。具体例として、サーバ装置２００は、評価情報取得条件Ｔｅとして「うまい」が指定されていた場合には、類語情報を参照することで、「うまい」の類語（ここでは「おいしい」とする）を特定する。そして、サーバ装置２００は、「うまい」及びその類語である「おいしい」を検索ワードとして評価コメントを検索し、該当するレコードを該当評価情報として抽出する。
【００５７】
なお、施設評価情報ＤＢ２１０は、図４に示すデータ構造に限定されない。例えば、５段階評価は、金額や味などの種々の評価項目ごとに設けられてもよく、また５以外の任意の数値を上限とする評価値であってもよい。
【００５８】
［施設検索処理］
（１）処理フロー
図５は、本実施例においてナビゲーション装置１００のＣＰＵ２２が実行する施設検索処理の手順を示すフローチャートである。ＣＰＵ２２は、図５に示すフローチャートを、施設検索を要求するユーザ入力等を検知するごとに実行する。なお、図５に示すフローチャートの実行時には、目的地等の経路検索条件を指定するユーザ入力等に基づき、経路探索部１０５が経路を探索し、目的地までの経路が既に設定されているものとする。
【００５９】
まず、ＣＰＵ２２の条件取得部１０１は、評価情報取得条件Ｔｅを指定する入力を、入力装置６０により受け付ける（ステップＳ１０１）。なお、条件取得部１０１は、評価情報取得条件Ｔｅに加えて、施設を立寄る時間帯、施設のジャンルなどの種々の施設検索条件をさらに入力装置６０により受け付けてもよい。
【００６０】
次に、推定部１０６は、経路探索部１０５から供給される経路情報及び交通情報取得部１０２から供給される交通情報等に基づき、走行予定経路上から、複数の到着予想地点を推定する（ステップＳ１０２）。例えば、この場合、推定部１０６は、出発時刻から目的地の到着予想時刻までの時間帯を所定時間幅（例えば１５分）ごとに区切った各基準時刻Ｔｔａｇでの走行予定経路上の到着予想地点を、交通情報に基づき推定する。なお、推定部１０６は、施設を立ち寄る時間帯の指定が施設検索条件に含まれていた場合には、指定された時間帯に属する複数の時刻を基準時刻Ｔｔａｇとして設定する。
【００６１】
その後、施設検索部１０７は、地図データを参照し、推定された各到着予想地点の周辺に存在する施設を検索する（ステップＳ１０３）。なお、施設検索部１０７は、施設検索条件として施設のジャンルなどが指定されていた場合には、指定された条件を満たす施設を検索する。
【００６２】
次に、評価情報取得部１０８は、各該当施設の評価情報取得条件Ｔｅに合致する該当評価情報をサーバ装置２００から取得する（ステップＳ１０４）。この場合、評価情報取得部１０８は、施設検索部１０７が検索した該当施設の施設ＩＤ及び評価情報取得条件Ｔｅを指定した評価情報の取得要求をサーバ装置２００へ送信し、その応答としてサーバ装置２００から通信装置３８が受信した各該当施設の該当評価情報を取得する。
【００６３】
そして、算出部１０９は、評価情報取得部１０８が取得した該当施設ごとの該当評価情報の件数に基づき、１つあたりの該当施設に対する該当評価情報の平均値である評価情報平均数Ｎｖを算出する（ステップＳ１０５）。そして、制御部１１０は、表示ユニット４０を制御することで、ステップＳ１０５で算出した評価情報平均数Ｎｖよりも該当評価情報の件数が多い該当施設の位置等を、目的地までの経路と共に地図上に表示する（ステップＳ１０６）。
【００６４】
なお、ステップＳ１０６では、制御部１１０は、評価情報平均数Ｎｖよりも該当評価情報の件数が多い該当施設を表示対象としたが、これに加えて、評価情報平均数Ｎｖと等しい該当評価情報の件数となる該当施設をさらに表示対象としてもよい。
【００６５】
（２）具体例
次に、図５に示す施設検索処理の具体例について、図６及び図７を参照して説明する。
【００６６】
図６（Ａ）は、目的地までの走行予定経路と推定部１０６が推定した各到着予想地点（地点Ａ〜Ｄ）とを示す。この例では、施設を立ち寄る時間帯として１１時３０分から１２時１５分までの時間帯が指定され、かつ、評価情報取得条件Ｔｅとして「おいしい」が指定されたものとする。
【００６７】
この場合、推定部１０６は、指定された時間帯における１５分間隔の各時刻を基準時刻Ｔｔａｇとて設定し、各基準時刻Ｔｔａｇに対応する走行予定経路上の到着予想地点Ａ〜Ｄを推定している。
【００６８】
図６（Ｂ）は、各到着予想地点Ａ〜Ｄの周辺検索により検索された該当施設ａ〜ｆの位置を示す。図６（Ｂ）の例では、施設検索部１０７は、地点Ａ周辺の施設ａ、地点Ｂ周辺の施設ｂ、地点Ｃ周辺の施設ｃ、地点Ｄ周辺の施設ｄ〜ｆを該当施設として検索している。この場合、評価情報取得部１０８は、各施設ａ〜ｆの施設ＩＤと、評価情報取得条件Ｔｅである「おいしい」とを、評価情報の検索要求に含め、通信装置３８によりサーバ装置２００へ送信する。
【００６９】
図６（Ｃ）は、評価情報の検索要求に基づく検索結果を示す表である。図６（Ｃ）に示す表は、該当施設ａ〜ｆごとに、評価情報取得条件Ｔｅである「おいしい」及びその類語「うまい」の施設評価情報ＤＢ２１０における検索件数と、検索件数の合計とをそれぞれ示している。そして、サーバ装置２００は、該当施設ａ〜ｆごとに評価情報取得条件Ｔｅに合致する該当評価情報を施設評価情報ＤＢ２１０から抽出し、ナビゲーション装置１００へ送信する。そして、算出部１０９は、この場合、該当施設ａ〜ｆの該当評価情報の合計が「２０」（＝１＋７＋１＋５＋３＋３）であり、該当施設の数が「６」であることから、評価情報平均数Ｎｖを「２０／６（約３．３）」と算出する。よって、この場合、制御部１１０は、評価情報平均数Ｎｖよりも該当評価情報が多い該当施設ｂ、ｄを表示対象として認識する。
【００７０】
図７（Ａ）は、ディスプレイ４４に表示される施設検索結果の表示例である。図７（Ａ）の例では、ナビゲーション装置１００は、走行予定ルート７２と、出発点を示す出発点マーク７３と、目的地を示す目的地マーク７４と、該当施設ｂ、ｄにそれぞれ対応する施設マーク７５ｂ、７５ｄとを、図示しない地図上に表示させている。
【００７１】
図７（Ｂ）は、該当施設ｄに対応する施設マーク７５ｄがユーザ入力により選択された場合の表示例である。図７（Ａ）の状態から施設マーク７５ｄが選択された場合、制御部１１０は、選択された施設マーク７５ｄに対応する施設の施設データをデータ記憶ユニット３６から参照し、当該施設の詳細情報を表示させる。図７（Ｂ）の例では、制御部１１０は、選択された施設マーク７５ｄに対応する施設「イタリアンレストラン○○」の店舗名、営業時間、及び電話番号を、施設マーク７５ｄを指し示す吹き出し７６中に表示させている。さらに、図７（Ｂ）の例では、制御部１１０は、サーバ装置２００から取得した該当施設ｄの該当評価情報に基づき、該当施設ｄの該当評価情報の件数（５件）と、当該該当評価情報に含まれる５段階評価の平均値（４．１）を吹き出し７６中に表示させている。施設マーク７５ｂ、ｄ及び吹き出し７６内の情報は、本発明における「施設情報」の一例である。
【００７２】
このように、ナビゲーション装置１００は、施設検索を行う場合に、走行予定経路上の到着予想地点周辺の施設ごとに、ユーザが指定した評価情報取得条件Ｔｅに合致する評価情報を取得し、当該評価情報の数に基づき、地図上に表示すべき施設を選定する。これにより、ナビゲーション装置１００は、ユーザが重視する評価が多く投稿されている施設の情報を優先して提示することができる。
【００７３】
［変形例］
以下、実施例の各変形例について説明する。なお、これらの各変形例は、組み合わせて上述の実施例に適用してもよい。
【００７４】
（変形例１）
図５のステップＳ１０６では、制御部１１０は、評価情報平均数Ｎｖと、各該当施設の該当評価情報の件数とを比較することで、表示対象となる該当施設を決定した。これに代えて、制御部１１０は、評価情報平均数Ｎｖに基づき設定した値と、各該当施設の該当評価情報の件数とを比較することで、表示対象となる該当施設を決定してもよい。
【００７５】
例えば、制御部１１０は、評価情報平均数Ｎｖの算出後、評価情報平均数Ｎｖの小数点以下を切り上げた値と、各検索基準地点Ｐｔａｇの該当施設数とを比較する。例えば、図６の例では、制御部１１０は、算出した評価情報平均数Ｎｖの小数点以下を切り上げた値「４」と、各検索基準地点Ｐｔａｇの該当施設数とを比較し、切り上げ値「４」よりも多い（即ち５以上の）該当評価情報の件数となる該当施設（即ち、施設ｂ、ｄ）を、表示対象の施設として決定する。
【００７６】
本変形例によれば、制御部１１０は、ユーザが重視する基準の評価が多く投稿されている施設をより精度よく抽出して表示することができる。なお、他の例として、制御部１１０は、評価情報平均数Ｎｖに代えて、該当施設ごとの該当評価情報の件数の中央値（図６の例では３件）よりも多い該当評価情報の件数となる該当施設を、表示対象の施設として決定してもよい。
【００７７】
（変形例２）
制御部１１０は、各該当施設の該当評価情報に対して重み付けを行ってもよい。
【００７８】
例えば、制御部１１０は、各該当施設の該当評価情報を、当該該当評価情報の投稿者である評価者の年代や趣向などの属性に基づき重み付けする。この場合、施設評価情報ＤＢ２１０の各レコードには、評価者の年代や趣向などの情報がさらに関連付けられており、制御部１１０は、サーバ装置２００から受信した評価情報に含まれる評価者の属性と、予めデータ記憶ユニット３６等に記憶されたナビゲーション装置１００のユーザの年齢等の属性とを比較することで、重み付けの値を決定する。比較する属性は、ユーザ入力により指定された属性であってもよく、予め設定された属性であってもよい。そして、制御部１１０は、決定した重み付けの値を該当施設ごとに集計した値（「ポイント数」とも呼ぶ。）に基づき、表示対象の該当施設を決定する。
【００７９】
図８は、図６及び図７の具体例において、年代に基づき該当評価情報の重み付けを行った場合の各施設ａ〜ｆのポイント数を示す表である。図８では、該当施設ごとに、該当評価情報の件数を示す「該当評価件数」と、ナビゲーション装置１００のユーザと同年代の評価者による該当評価情報の件数を示す「同年代による評価件数」と、「ポイント数」とが関連付けられている。
【００８０】
図８の例では、評価情報取得部１０８は、ナビゲーション装置１００のユーザと同年代の評価者による評価情報の重み付け値を「２」とし、他の評価情報の重み付け値を「１」としてポイント数を算出している。例えば、施設ｂの場合には、同年代の評価者による該当評価情報が２件であり、他の該当評価情報が５件であることから、施設ｂのポイント数を「９」（＝２×２＋５）に設定する。
【００８１】
そして、この場合、算出部１０９は、各施設ａ〜ｆのポイント数の平均値（「平均ポイント数」とも呼ぶ。）を算出する。図８の例では、算出部１０９は、施設ａ〜ｆのポイント数の合計「２９」を該当施設数「６」で割ることで、上述の平均ポイント数「２９／６（約４．８）」を算出する。そして、制御部１１０は、平均ポイント数「２９／６」よりもポイント数が大きい施設ｂ、ｄ、ｅを、表示対象の施設として決定する。
【００８２】
図９は、本変形例に係る施設検索処理のフローチャートである。ステップＳ２０１〜Ｓ２０４は、図５のステップＳ１０１〜Ｓ１０４と同一処理であるため、その説明を省略する。
【００８３】
ステップＳ２０４で各該当施設の該当評価情報を取得後、評価情報取得部１０８は、評価者の年齢等の所定の属性に基づき各該当評価情報を重み付けし、該当施設ごとにポイント数を算出する（ステップＳ２０５）。そして、算出部１０９は、算出された該当施設ごとのポイント数に基づき、該当施設の平均ポイント数を算出する（ステップＳ２０６）。そして、制御部１１０は、表示ユニット４０を制御することで、平均ポイント数よりも高いポイント数となる該当施設の情報を、走行予定経路と共に表示する（ステップＳ２０７）。
【００８４】
このように、本変形例では、ナビゲーション装置１００は、ユーザの属性に合致する評価者の評価情報の重み付けを高く設定することで、ユーザが所望する施設をより精度よく選定して地図上に表示させることができる。
【００８５】
（変形例３）
図６の例では、施設検索部１０７は、所定時間間隔（１５分）ごとに抽出した各基準時刻Ｔｔａｇでの到着予想地点の周辺施設を検索した。しかし、本発明が適用可能な施設の検索方法は、これに限定されない。
【００８６】
例えば、施設検索部１０７は、距離が等間隔になる走行予定経路上の地点を基準として周辺施設の検索を行ってもよい。上述の距離は、直線距離であってもよく、車両の移動に必要な走行距離であってもよい。他の例では、施設検索部１０７は、走行予定経路から所定距離以内のエリアを対象に、施設検索を行ってもよい。これらの例では、推定部１０６による到着予想地点の推定処理を行う必要がない。
【００８７】
（変形例４）
ナビゲーション装置１００が実行する経路探索処理及び施設検索処理を、サーバ装置２００が実行してもよい。
【００８８】
この場合、ナビゲーション装置１００は、出発点情報及びユーザが指定した目的地の情報などを含む経路探索要求をサーバ装置２００に送信することで、設定すべき経路の情報をサーバ装置２００から受信する。また、ナビゲーション装置１００は、評価情報取得条件Ｔｅを含む施設検索要求をサーバ装置２００に送信することで、施設検索条件に合致する施設の情報をサーバ装置２００から受信する。なお、ナビゲーション装置１００は、経路探索要求と施設検索要求とを同時に送信してもよく、異なるタイミングで送信してもよい。後者の場合、施設検索要求には、設定された目的地までの経路の情報を示す経路情報がさらに含まれていてもよい。
【００８９】
サーバ装置２００は、ＣＰＵ、ＲＯＭ、ＲＡＭ、通信装置などから構成され、施設データを含む地図データを予め記憶している。そして、サーバ装置２００は、ナビゲーション装置１００から送信される要求信号に基づき、経路検索処理及び施設検索処理を実行し、その処理結果を要求元のナビゲーション装置１００へ送信する。
【００９０】
図１０は、サーバ装置２００の機能ブロック図を示す。サーバ装置２００は、機能的には、条件取得部２０１と、交通情報取得部２０２と、出発点取得部２０３と、目的地取得部２０４と、経路探索部２０５と、推定部２０６と、施設検索部２０７と、評価情報取得部２０８と、算出部２０９と、制御部２１０と、送信部２１１とを備える。例えば、サーバ装置２００のＣＰＵ等は、条件取得部２０１、交通情報取得部２０２、出発点取得部２０３、目的地取得部２０４、経路探索部２０５、推定部２０６、施設検索部２０７、評価情報取得部２０８、算出部２０９、及び制御部２１０として機能し、サーバ装置２００の通信装置は、送信部２１１として機能する。
【００９１】
条件取得部２０１は、評価情報取得条件Ｔｅを含む施設検索要求をナビゲーション装置１００から取得することで評価情報取得条件Ｔｅを取得し、評価情報取得部２０８へ出力する。交通情報取得部２０２は、ＶＩＣＳセンタ等から交通情報を取得し、推定部２０６へ出力する。出発点取得部２０３は、ナビゲーション装置１００から受信した経路探索要求に含まれる出発点情報を経路探索部２０５へ出力する。目的地取得部２０４は、ナビゲーション装置１００から受信した経路探索要求に含まれる車両の目的地の情報を、経路探索部２０５へ出力する。
【００９２】
経路探索部２０５は、出発点取得部２０３から入力された出発点と、目的地取得部２０４から入力された目的地とに基づいて出発点から目的地までの経路を探索し、得られた経路を示す経路情報を、推定部２０６及び送信部２１１に供給する。
【００９３】
推定部２０６は、経路探索部２０５等から通知された施設検索要求の送信元のナビゲーション装置１００の経路情報に基づき、各基準時刻Ｔｔａｇでの走行予定経路上の到着予想地点を推定して施設検索部２０７へ出力する。なお、推定部２０６は、施設検索要求に経路情報が含まれている場合には、当該経路情報に基づき走行予定経路を認識してもよい。
【００９４】
施設検索部２０７は、推定部２０６から通知された各到着予想地点の周辺エリアを対象に、地図データを参照して該当施設を検索する。評価情報取得部２０８は、各該当施設に関する評価情報取得条件Ｔｅを満たす該当評価情報を、施設評価情報ＤＢ２１０から抽出する。そして、評価情報取得部２０８は、該当施設ごとの該当評価情報を算出部２０９及び制御部２１０に供給する。
【００９５】
算出部２０９は、評価情報取得部１０８が取得した該当施設ごとの該当評価情報の件数を集計し、該当施設の評価情報平均数Ｎｖを算出する。制御部２１０は、該当施設ごとの該当評価情報の件数と、評価情報平均数Ｎｖとを比較し、評価情報平均数Ｎｖよりも多い該当評価情報の件数となる該当施設を、表示対象として認識する。そして、制御部２１０は、表示対象となる該当施設の情報を、送信部２１１により施設検索要求の送信元であるナビゲーション装置１００に送信する。その後、施設検索要求の送信元であるナビゲーション装置１００は、サーバ装置２００から受信した情報に基づき、図７の表示例と同様に、走行予定経路と共に該当施設の施設マーク等の施設情報を、地図上に表示する。
【００９６】
このように、ナビゲーション装置１００が実行する施設検索処理を、ナビゲーション装置１００と通信を行うサーバ装置２００が実行する場合であっても、ユーザが重視する評価が多く投稿されている施設の情報を好適にナビゲーション装置１００のユーザに提示することができる。
【００９７】
本変形例では、ナビゲーション装置１００は、本発明における「端末装置」として機能し、サーバ装置２００は本発明における「検索装置」として機能する。
【００９８】
なお、サーバ装置２００は、複数のサーバ装置から構成されていてもよい。例えば、サーバ装置２００は、経路探索処理及び施設検索処理を実行する１又は複数のサーバ装置と、経路探索処理及び施設検索処理を実行するのに必要な地図データ等を記憶する１又は複数のサーバ装置とから構成されていてもよい。この場合、各サーバ装置は、予め割り当てられた処理を実行するのに必要な情報の授受を他のサーバ装置と適宜行う。
【００９９】
（変形例５）
ナビゲーション装置１００は、データ記憶ユニット３６に記憶された地図データを参照する代わりに、地図データを管理するサーバ装置から経路探索処理や施設検索処理等に必要な地図データを受信してもよい。
【０１００】
（変形例６）
ナビゲーション装置１００は、施設評価情報ＤＢ２１０を有するサーバ装置２００から評価情報を取得する代わりに、施設評価情報ＤＢ２１０に相当するデータベースをデータ記憶ユニット３６に記憶し、当該データベースから該当施設の評価情報を抽出してもよい。この場合、ナビゲーション装置１００は、サーバ装置２００から施設評価情報ＤＢ２１０の更新情報を定期的に受信することで、上述のデータベースをアップデートしてもよい。
【符号の説明】
【０１０１】
１０  自立測位装置
１８  ＧＰＳ受信機
２０  システムコントローラ
２２  ＣＰＵ
３６  データ記憶ユニット
３８  通信装置
４０  表示ユニット
４４  ディスプレイ
６０  入力装置
１００  ナビゲーション装置
２００  サーバ装置
【図１】
2017049220.tif 000003
【図２】
2017049220.tif 000004
【図３】
2017049220.tif 000005
【図４】
2017049220.tif 000006
【図５】
2017049220.tif 000007
【図６】
2017049220.tif 000008
【図７】
2017049220.tif 000009
【図８】
2017049220.tif 000010
【図９】
2017049220.tif 000011
【図１０】
2017049220.tif 000012